(57)【要約】 【課題】  室内側のサムターン部材を操作するだけで、操作部材用のロック状態を解くと共に、直ちにロック機構を構成するロックピースを押しボタンとの係合状態を解消させること。【解決手段】扉の外壁面側に取り付けられかつ複数個の押しボタンを介して台座内のロックスライド板を移動可能な状態にする押しボタン式施・解錠装置に於いて、台座内に少なくとも押しボタンと係脱可能なクリックピース並びにロックピースを組込み、一方、台座内に操作手段の軸方向にクリックピース用駆動板、台座内のストッパーに係止された被ロック板、該被ロック板が回転することができるようにストッパーの係止を解除する解除板をそれぞれ組込み、室内側の操作手段を操作すると、解除板及び駆動板の各回転を介して押しボタンと係合関係にあるクリックピース並びにロックピースを係合解消の方向へ移動させること。【選択図】  図８
2006118270.tif 000002
【特許請求の範囲】
【請求項１】
扉の外壁面側に取り付けられ、かつ、暗証番号に基づいて押動される複数個の押しボタンを介して台座内のロックスライド板を移動可能な状態にする押しボタン式施・解錠装置に於いて、前記台座内に少なくとも押しボタンと係脱可能なクリックピース並びにロックピースを組込み、一方、台座内に操作手段の軸方向にクリックピース用駆動板、台座内のストッパーに係止された被ロック板、該被ロック板が回転することができるように前記ストッパーの係止を解除する解除板をそれぞれ組込み、室内側の操作手段を操作すると、前記解除板及び駆動板の各回転を介して押しボタンと係合関係にあるクリックピース並びにロックピースを係合解消の方向へ移動させることを特徴とする押しボタン式施・解錠装置。
【請求項２】
請求項１に於いて、台座凹所２４内にストッパー用付勢手段４７が組み込まれ、該勢手段４７は、ストッパー１８のフック部１８ａが常に被ロック片１９の係合突起１９ａに係合するように付勢していることを特徴とする押しボタン式施・解錠装置。
【請求項３】
請求項１又は請求項２に於いて、ロックピース１６はストッパー１８の一端部を軸支し、該ロックピース及びストッパーは、クリックピース１５が移動すると、該クリックピースに連動して一緒に同じ方向に移動するとことを特徴とする押しボタン式施・解錠装置。
【請求項４】
請求項１に於いて、内側の操作部材を操作すると、クリックピース１５に係止されている所定の押しボタンが、駆動板の駆動力によりスライドするクリックピースから係止解除され、台座内のバネ支持板３１に支持されているバネ３０により自動的に初期位置に復帰することを特徴とする押しボタン式施・解錠装置。
【請求項５】
請求項１に於いて、解除板の初期の始動に遅れて被ロック板が回転始動するように被ロック板の係合孔の係合受け面と操作手段の係合部の係合面との間には、若干の間隙が設定されていることを特徴とする押しボタン式施・解錠装置。
【請求項６】
請求項１に於いて、解除板の初期の始動に遅れて駆動板が回転始動するように駆動板の係合部の係合受け面と操作手段の係合部の係合面との間には、若干の間隙が設定されていることを特徴とする押しボタン式施・解錠装置。
【請求項７】
請求項１に於いて、台座５は裏側には長さ方向に連続する凹所２４が形成され、該凹所内には、駆動板、解除板及び被ロック板を操作部材の軸方向に併設して組込み、また、少なくともクリックピース１５とロックピース１６とを互いに併設状態に組み込み、さらに、クリックピースとロックピースをそれぞれ所定方向に付勢する複数個のバネ部材を組み込んでいることを特徴とする押しボタン式施・解錠装置。
【請求項８】
請求項１に於いて、台座内には、クリックピースの移動に関連して移動する押しボタン用のダミーピースが配設されていることを特徴とする押しボタン式施・解錠装置。
【請求項９】
請求項１に於いて、内外の操作部材の操作軸は、共通の一つのサムターンバーであり、該サムターンバーは室内側から差し込み又は引き抜くことができることを特徴とする押しボタン式施・解錠装置。
【発明の詳細な説明】
【技術分野】
【０００１】
本発明は、扉の錠前のラッチボルト，デッドボルト等の施錠片との関係で、扉に外壁面に取り付けられる押しボタン式施・解錠装置に関する。
【背景技術】
【０００２】
この種の押しボタン式施・解錠装置の一例としては、特許文献１がある。この特許文献１に記載の発明の課題は、同じ押しボタンを複数回押動操作することを可能にし、解錠番号の組み合わせを増やすことである。そのために、解決手段として、予め設定しておいた幾つかの解錠用のタンブラを押しボタンで押動操作することにより、施錠位置に付勢されているスライダの解錠位置への移動が許容される押しボタン式施・解錠装置の台座（ホルダケース）内に、前記タンブラの仮固定位置を台座の表裏方向における複数位置に設定する位置決め機構を設け、押しボタンを一回押動操作するごとにその押しボタンに対応する当該タンブラの仮固定位置を一つずつ台座の裏面側へ進行させる中間機構を設けたことを特徴とする。
【０００３】
しかしながら、この種の施・解錠装置の解錠構成は、もっぱら、室外側から暗証番号に基づいて複数個の押しボタンを操作することに視点が向けられている。したがって、室内側の操作部材（差込み型サムターンバーも含む）の軸部に対して台座内設けた複数枚の回転板を台座内のロック機構の係合スライダに関連付けて配設し、室内側の操作部材のサムターン摘みを回転操作すると、前記回転板を介してロック機構の係合スライダを係合解消の方向へ移動させる技術文献は見当たらない。この点に関して先行の技術文献が存在するか否かは別として、この種の押しボタン式施・解装置は、一般に複数個の押しボタンの位置にそれぞれ対応して複数個の可動障害子（ダンブラー）や付勢手段をスライダに直交状態に配設していることから、施・解錠装置の構成が複雑であるという問題点がある。
【０００４】
もちろん、特許文献２に記載の南京錠のように、ダンブラーや付勢手段をハウジングに内蔵しない反面、ハウジングに複数の押しボタンのみをそれぞれ配列し、暗証番号に基づいて所定の押しボタンを表面側から裏面側へと押すと、ロック機構の係合スライダの係合突起と押しボタンの係合部との係合関係が解消し、その結果、ハウジングの底部のプッシュ型の操作手段を押すことができる旨の事項が開示されている。
【０００５】
しかしながら、この南京錠に開示されている技術事項も、結局のところ、特許文献１と同様に台座の外壁面に露出或いは突出する押しボタンを操作してロック機構の係合スライダを解除方向へ移動可能にするものであって、本発明のように室内側のサムターンを操作すると、操作部材ロック用の台座内のストッパーに常時ロックされている被ロック板が回転可能な状態になると共に、直ちにロック機構を構成する係合スライダ（本実施例では、「ロックピース」という用語の部材）を係合解除の方向へ移動させるものではない。
【特許文献１】特許公開２００３−１３８８０１号公報
【特許文献２】実公昭６０−１５８８９号公報
【発明の開示】
【発明が解決しようとする課題】
【０００６】
本発明の課題は、扉の外壁面側に台座を介して設けられた複数個の押しボタンを暗証番号に基づいて押動操作することによって台座内部の係合スライド板（複数個の押しボタンに係止されているロックピース）を移動可能な状態にする押しボタン式施・解錠装置に於いて、室内側のサムターン部材を操作するだけで、操作部材の回転を阻止しているストッパー並びに台座内の部材と係合関係にある押しボタンとのロック状態を解消させることである。
【０００７】
また、内側の操作部材を操作すると、クリックピースに係止されている所定の押しボタンを自動的に初期位置に復帰させること（リセット状態）にすることができることである。また、押しボタン式施・解錠装置の構成を単純化（可動障害子等を内蔵しないこと）すると共に、ロックピースを移動させるための操作部材の軸部と台座に組み込まれたクリックピース用駆動板、台座内のストッパーに係止された被ロック板、該被ロック板が回転することができるように前記ストッパーの係止を解除する解除板とのそれぞれの係合関係を合理的に構成し、各部材の回動ないし作動を良好状態にすると共に、部品点数を極力少なくすることである。さらに、各部材を合理的に配設或いは組み合わせ、台座内のスペースを有効的に活用すること、加えて、内側の操作部材を引き抜き可能にし、より一層の防犯効果を高めることである。
【課題を解決するための手段】
【０００８】
本発明の押しボタン式施・解錠装置は、扉の外壁面側に取り付けられ、かつ、暗証番号に基づいて押動される複数個の押しボタンを介して台座内のロックスライド板を移動可能な状態にする押しボタン式施・解錠装置に於いて、前記台座内に少なくとも押しボタンと係脱可能なクリックピース並びにロックピースを組込み、一方、台座内に操作手段の軸方向にクリックピース用駆動板、台座内のストッパーに係止された被ロック板、該被ロック板が回転することができるように前記ストッパーの係止を解除する解除板をそれぞれ組込み、室内側の操作手段を操作すると、前記解除板及び駆動板の各回転を介して押しボタンと係合関係にあるクリックピース並びにロックピースを係合解消の方向へ移動させることを特徴とする。
【０００９】
上記構成に於いて、台座凹所２４内にストッパー用付勢手段４７が組み込まれ、該勢手段４７は、ストッパー１８のフック部１８ａが常に被ロック片１９の係合突起１９ａに係合するように付勢していることを特徴とする。また、ロックピース１６はストッパー１８の一端部を軸支し、該ロックピース及びストッパーは、クリックピース１５が移動すると、該クリックピースに連動して一緒に同じ方向に移動するとことを特徴とする。また、内側の操作部材を操作すると、クリックピース１５に係止されている所定の押しボタンが、駆動板の駆動力によりスライドするクリックピースから係止解除され、台座内のバネ支持板３１に支持されているバネ３０により自動的に初期位置に復帰することを特徴とする。さらに、解除板の初期の始動に遅れて被ロック板が回転始動するように被ロック板の係合孔の係合受け面と操作手段の係合部の係合面との間には、若干の間隙が設定されていることを特徴とする。その他の特徴は従属項に記載されている。
【発明の効果】
【００１０】
（１）室内側のサムターン部材を操作するだけで、操作部材に対するストッパーの回転阻止の状態を解くと共に、台座内のロックピース等と押しボタンとの係合状態を解消させることができる。
（２）内側の操作部材を操作すると、クリックピースに係止されている所定の押しボタンを自動的に初期位置に復帰させること（リセット状態）にすることができる。
（３）台座内には可動障害子等を内蔵しないので、押しボタン式施・解錠装置の構成を単純化することができる。
（４）従属項に於いて、ロックピースを移動させるための操作部材の軸部と台座に組み込まれたクリックピース用駆動板、台座内のストッパーに係止された被ロック板、該被ロック板が回転することができるように前記ストッパーの係止を解除する解除板とのそれぞれの係合関係を合理的に構成したので、各部材の回動ないし作動が良好である。また、部品点数を削減することができる。
（５）台座内の凹所内のスペースを有効的に活用することができる、防犯効果に優れているなどの効果がある。
【発明を実施するための最良の形態】
【００１１】
以下、図１乃至図１４に示す本発明を実施するための最良の形態により説明する。
【００１２】
（１）発明の実施の環境
図１は、本発明の実施の環境を示す扉１の自由端部側から見た概略説明図である。１は扉、１ａは扉の室内側２の内壁面、一方、１ｂは扉の室外側３の外壁面である。
【００１３】
ところで、第１順位として扉に取り付けられる錠前は、周知のように図示しない錠ケースのフロントからデッドボルトが出没するもの、サムターン摘み側の錠ケースの側壁からデッドボルトが出没するもの、室内側２に位置するサムターン摘みのサムターン軸（駆動芯材）と室外側３に位置するシリンダー錠の駆動軸とが同軸に位置するものと、そうでないものなど色々な型式が存在している。
【００１４】
図１に於いて、上記第１順位の錠前については特に図示しないが、本発明は、第２順位の錠前又は第３順位の錠前として第１順位の錠前等と共に扉１の自由端部に任意に取り付けられる。その意味で、本発明の押しボタン式施・解錠装置Ｘは、「補助錠」と称することもできる。なお、扉１の自由端部の外壁面１ｂに施・解錠装置Ｘの台座５を取り付ける場合には、当然のことながら、各押しボタン６に指が届く箇所が望ましい。
【００１５】
さて、図１に於いて、７は外側の操作部材（サムターン）、一方、８は外側操作部材７とそれぞれの操作軸（外と内のサムターンバー）９，１０を介して一体的に連結する内側の操作部材（サムターン）、１１はサムターン７，８をそれぞれ回転操作すると補助のフロント板１２から出没する施錠片（デッドボルト）、１３は連結手段１４を介して台座５に連結される内側の板状台座である。
【００１６】
発明の実施の環境について付言すると、押しボタン式施・解錠装置Ｘは、第１順位の錠前と同様に施錠片としてのデッドボルト１１を備えていることから、「錠前」であることには変わりはない。したがって、戸枠には前記デッドボルト１１が係脱する受け金具が存在する。
【００１７】
（２）主要部の構成
本発明の押しボタン式施・解錠装置Ｘは、先行技術との関係では、「扉１の外壁面１ｂ側に取り付けられ、かつ、暗証番号に基づいて押動される複数個の押しボタン６を介して台座５内のロックスライド板を移動可能な状態にする押しボタン式施・解錠装置」を前提とする。押しボタン６の形状，台座５の具体的な内部構造，裏板の構成、裏板に組み合わせる押しボタン用案内板等も新規な事項が存在するが、ここでは本発明の主要部の構成に絞って記載する。
【００１８】
本発明の主要部の構成は、台座５内に少なくとも複数個の押しボタン６と係脱可能なクリックピース１５並びにロックピース１６をそれぞれ組込み、一方、前記クリックピース１５並びにロックピース１６に関連付けて台座５内に操作手段７，８の操作軸，１０の軸方向にクリックピース用駆動板１７、台座５内に直接又は間接的に回転自在に設けられたストッパー１８に係止された被ロック板１９、該被ロック板が回転することができるように前記ストッパー１８の係止を解除する解除板２１をそれぞれ組込み、室内側の操作手段８の摘み８ａを操作すると、前記解除板１９及び駆動板１７の各回転を介して所定の押しボタン６と係合関係にあるクリックピース１５及びロックピース１６を係合解消の方向へ移動させることを特徴とする。
【００１９】
したがって、本発明の主たる構成部材は、台座５、複数個の押しボタン６、操作軸に連結された操作部材８、クリックピース１５、ロックピース１６、クリックピース用駆動板１７、ストッパー１８、被ロック板１９、解除板２１等である。これらの部材との関係で台座５に形成された凹所２４，ストッパー１８用付勢手段４７，クリックピースに移動に関連して移動する押しボタン用のダミーピース２３等の付加的要件が特定要件にそれぞれ必要に応じて加味される。以下、主たる構成部材を説明する。
【００２０】
（３）台座５
飾り体の一例である台座５は、図３で示すように船形状に形成されている。したがって、図１で示した室内側の板状飾り体（板状台座）１３とは著しく形状ないし構造が相違している。台座５は、金属製又は合成樹脂製で裏面側が開放された凹所的部材（内部に幾つかの連通凹所が存在する部材）に形成され、施・解錠装置Ｘに必要な構造部材はすべて該台座５に装着ないし組み込まれる。
【００２１】
しかして、台座５は裏側が長さ方向に連続する凹所２４を有する船形状に形成され、一端部側の凹所を形成する空間２４ａには、駆動板、解除板及び被ロック板を操作部材の軸方向に併設し、一方、他端部側の前記連続凹所を形成する空間２４ｂには、複数個のバネ部材２５，２６，２７が組み込まれ、さらに、前記空間２４ｂと空間２４ａと間に相当する前記凹所の大きな空間２４ｃには、板状のクリックピース１５並びにロックピース１６が互いに併設状態に組み込まれる（図４，図５参照）。
【００２２】
なお、台座５は、内部に一体に形成された支持部２８、又は一体的に嵌め込まれる押しボタン用支持板２８、開閉自在な押しボタン用前面カバー２９、押しボタン復帰用バネ３０、バネ支持板３１、回転板１７，１９，２１用のストッパー機能や蓋板用の取付け機能を有する複数個の筒状支柱３２等を有している。その他の細部的事項については説明を割愛する。
【００２３】
（４）押しボタン６とクリックピース１５
本実施形態の押しボタン６は、前面カバー２９を、例えば上方に開くと、台座５の表面側に先端部が露出する。押しボタン６は、暗証番号設定用に、少なくとも合計９個マトリックス状に配列されている。押しボタン６の機能に関しては、先行技術との関係で既に説明したが、暗証番号に基づいて所定の押しボタンを押すと、台座５の裏面側へ移動し、台座５内の係止板との係合が解消する。本実施例では、押しボタン６と係合関係にある部材は、ロックピース１６なので、予め設定した暗証番号に基づいて所定の押しボタンを押すと、押しボタン６はロックピース１６に対するロック（係止状態）を解くことができる。
【００２４】
ところで、本発明の特徴事項の一つとして、「押しボタン６とのクリックピース１５係脱関係」が存在する。図６及び図７はその係脱関係を示している。すなわち、押しボタン６は、ボタン状の先端部６ａと、この先端部６ａに水平方向に連設する板或いは軸状のロックピース１６用第１係合部６ｂと、この第１係合部６ｂに連設する後端部のクリックピース１５用第２係合部６ｃとから成り、前記先端部６ａの前面には、図２で示すように数字等の識別符号が付され、また前記第１係合部６ｂには、ロックピース１６に形成されたマトリックス状の係合孔１６ａとの係脱位置を考慮して、例えば切欠部が適宜に形成されている。
【００２５】
図７は、内側の操作部材８を操作すると、クリックピース１５に係止されている所定の押しボタン６が、駆動板の駆動力によりスライドするクリックピース１５から係止解除され、台座５内のバネ支持板３１に支持されている押しボタン復帰用バネ３０のバネ力により自動的に初期位置に復帰することを矢印で示したものである。
【００２６】
すなわち、クリックピース１５は、各押しボタン６の位置に対応して長さ方向に３列の案内開口３５がそれぞれ適宜に形成されているが、これらの案内開口３５に臨むように複数個（例えば１０個）の係止爪３６が所定間隔離間して設けられている。
【００２７】
したがって、本実施例では、暗証番号に基づいて所定の押しボタン６を押すと、当該押しボタン６は台座５の裏面側へ移動してロックピース１６に対するロック（係止状態）が解かれるものの、押動された所で第２係合部６ｃがクリックピース１５の係止爪３６に係止されるので、初期位置へは戻らない。つまり、押動された押しボタン６は、その突起状第２係合部６ｃがクリックピース１５の係止爪３６に引っ掛かるので、押しボタン復帰用バネ３０が作用していても、元の位置へと戻ることができない。それ故に、押しボタン６のロックピース１６に対するロック解除（係止状態）を保持することができる。
【００２８】
そこで、室内側２から内側操作部材８を操作すると、本実施例では、操作部材８に連結する外側操作部材７のサムターンバー９に該サムターンバーと共働するクリックピース１５用の駆動板１７が設けられていることから、駆動板１７の指先状突起部１７ａがクリックピース１５の一端面（図５では下端面）を回転しながら押し上げる。その結果、クリックピース１５用のバネ２５のバネ力に抗してスライド（例えば上昇）したクリックピース１５の係止爪３６が解除設定された各押しボタン６の第２係合部６ｃから離れ、押しボタン復帰用バネ３０のバネ力によりリセットされる。
【００２９】
（５）内側操作部材８と駆動板１７等の関係
図１を参照にして外側操作部材７の操作軸（外サムターンバー）９に連結された内側操作部材８について説明する。本実施例では、説明の便宜上、操作軸９，１０に関しては、外サムターンバー９と内のサムターンバー１０に区分して説明しているが、もちろん、操作軸は、望ましくは内外共通の一つのサムターンバーである。また、一つのサムターンバー（９，１０）は、防犯性を考慮し、室内側２から差込み及び抜き差し可能である。このように多面的な防犯性を考慮するか否かは別として、要は内側操作部材８を操作すると、図で示す駆動板１７，被ロック板１９及び解除板２１が共に回転すれば良い。
【００３０】
図８及び図９を参照にして駆動板１７等の構成を説明する。既に説明をしたが、１７はクリックピース用駆動板、１９は台座内のストッパー１８に係止された被ロック板、２１は該被ロック板１９が回転することができるようにストッパー１８の係止を解除する解除板である。前記ストッパー１８は、本実施例では、ロックピース１６の一端部（下端部）に突設した突起部分１６ｂに止め具の機能を有する支軸２０を介して軸支されている。
【００３１】
さて、駆動板１７等は、図８で示すようにそれぞれ外周部に曲面，傾斜面，凹所面等を有すると共に、中心部に操作軸９の差込み端部（係合部）９ａが係合する係合孔が形成され、かつ、係合孔の外側には、周方向にやや大きめの弧状の案内長孔が対向的に形成されている。そして、駆動板１７等は、クリックピース１５、ロックピース１６及びストッパー１８に直接的又は間接的に関連付けられている。
【００３２】
ここで、駆動板１７等の各部位に符号を付す。４１，４２，４３は、駆動板１７等の中心部にそれぞれ形成された「竹とんぼ型」の係合孔である。竹とんぼ型係合孔とは称しても、駆動板１７等の各係合孔４１，４２，４３は同一ではなく、例えば駆動板１７の係合孔４１及び被ロック板１９の係合孔４３は、それぞれ操作軸９の差込み端部（係合部）９ａと係合可能な各係合受け面４１ａ，４３ａとの間には若干の間隙（遊び）４４，４５が設定され、かつ、同一形状である。これに対して、解除板２１の係合孔４２と操作軸９の係合部９ａとの間には間隙（遊び）が存在しない。したがって、解除板２１の係合孔４２の形状は竹とんぼ型であるものの、「間隙（遊び）」が存在するか否かの点で駆動板１７等係合孔４１，４３と相違している。
【００３３】
本実施例では、駆動板１７等が内側操作部材８の操作力によって合理的に回転するように、さらに、駆動板１７等に新規な事項が存在する。すなわち、１７ａは前（４）で説明したように、駆動板１７の外周壁に半径外方向に指先状に突設した突起部で、該突起部１７ａはクリックピース１５の一端部（例えば下端面）を押し上げることができるように係合している。また２１ａは解除板２１の外周壁に傾斜状に形成されたストッパーの解除用係合部で、この解除用係合部２１ａは、ストッパー１８の先端部に形成されたフック部１８ａに傾斜状に線接触している。さらに、１９ａは被ロック板１９の外周壁に小突起状に形成された係合突起で、この係合突起１９ａはストッパー１８の前記フック部１８ａに常時係止されている。
【００３４】
（６）クリックピース１７，ロックピース１６等
台座５内には、少なくとも押しボタン６と係脱可能なクリックピース１５並びにロックピース１６が組み込まれている。本実施例では、本発明の限定要件ではないが、クリックピース１５に移動に関連して移動（同期移動、追動など）する押しボタン用のダミーピース２３が配設されている。
【００３５】
特に本発明では、台座５内のスペースを有効的に活用するために、各部材１５，１６，２３を合理的に配設或いは組み合わせている。すなわち、台座５は裏側には長さ方向に連続する凹所２４が形成され、該凹所２４内には、駆動板１７、解除板２１及び被ロック板１７を操作部材９の軸方向に併設して組み込み、また、クリックピース１５，ロックピース１６，ダミーピース２３を互いに併設状態に組み込み、さらに、これらのピース１５，１６，２３をそれぞれ所定方向に付勢する複数個のバネ部材２５，２６，２７を台座５の上端部側の空間部分２４ｂに一括的に組み込んでいる。
【００３６】
図１０及び図１１を参照にしてクリックピース１５，ロックピース１６等の構成を説明する。まず、肉厚板状のクリックピース１５について説明すると、前述したように、３５は案内開口、３６は係止爪である。図１０を基準にすると、クリックピース１５の上端部１５ａは台座５の上端部の曲率に沿って弧状に形成されていると共に、該弧状の上端部１５ａにバネ部材２５，２６，２７収納用の単数又は複数（本実施例）の切欠３７が形成されている。そして、該切欠３７内には、その切欠の内端面から外方向に延びるバネ支持棒３８が複数本（３本）設けられている。
【００３７】
しかして、左側に位置するバネ支持棒３８には、クリックピース１５用の長いバネ部材２５が、右側に位置する同じ長さの二本のバネ支持棒３８，３８には、ロックピース１６用のバネ部材２６とダミーピース２３用のバネ部材２７がそれぞれ適宜に巻装されている。
【００３８】
次に、板状のロックピース１６について説明すると、前述したように、１６ａは複数個の係合孔、１６ｂは突起部分である。同じく図１０を基準にすると、ロックピース１６の上端部の右側には、バネ部材２６用のバネ支持部１６ｃが適宜に突出形成され、該バネ支持部１６ｃとクリックピース１５の前述した切欠３７の内端面との間には一番右側のバネ支持棒３８を介してバネ部材２６が組み込まれる。
【００３９】
したがって、バネ部材２６は、クリックピース１５が上方に移動すると、ロックピース１６をそのバネ支持部１６ｃを介して上方に付勢するので、本実施例では、クリックピース１５に連動（追動も含む）してロックピース１６も同方向へ移動可能である。
【００４０】
一方、ロックピース１６の下端部の右側には、ストッパー１８の自由端部を受けるストッパー支持部１６ｅが突出形成されている。さらに、ロックピース１６の下端部には、ロックピース１６の移動を制御する垂直長孔３９等が適宜に形成されている。
【００４１】
次に、板状のダミーピース２３について説明すると、該ダミーピース２３もロックピース１６と略同様に形成されている。すなわち、ダミーピース２３も押しボタンの位置に対応して複数個の係合孔２３ａを有すると共に、上端部にはロックピース１６のバネ支持部１６ｃに重ならないように中央部寄りの位置に多少シフトしてバネ支持部２３ｃが突出形成されている。なお、ロックピース１６と比較すると、ダミーピース２３の下端部は内側に弧状に形成されている、下端部の中央部に形成されたダミーピース移動制御用の垂直長孔４０が若干短い等の差異がある。
【００４２】
ここで、ダミーピース２３用のバネ２７について説明すると、該バネ２７は、前述したバネ２６と同様に隣のバネ支持棒３８を介してバネ支持部２３ｃとクリックピース１５の切欠３７の内端面の間に組み込まれる。したがって、該ダミーピース２３も、クリックピース１５に連動（追動も含む）してロックピース１６も同方向へ移動可能である。本実施例では、本発明の特定要件に関係しない事項であるが、例えば前述した移動制御用の垂直長孔３９，４０を介してダミーピース２３をクリックピース１５に追従させている。
【００４３】
（７）ストッパー１８用付勢手段４７
図１と図１２を参照にしてストッパー１８用付勢手段４７について説明する。付勢手段４７は、図１で示す台座凹所２４内に形成した切欠部分，収納溝等の収納部分４６に適宜に組み込まれる。本実施例の付勢手段４７は、コイルバネ４７ａと、該コイルバネ４７ａのバネ力によりストッパー１８の自由端部を圧接する押さえ片４７ｂとから成る。押さえ片４７ｂは、例えばＬ字型状に形成された比較的薄い板片である。したがって、ストッパー１８は、そのフック部１８ａが常に被ロック片１９の係合突起１９ａに係合するように付勢手段４７に付勢させている。
【００４４】
（８）駆動板１７等を主とする作用
まず、図１３は施・解錠装置Ｘの施錠状態を解錠状態にするために室内側２から内側操作部材８を矢印Ａ方向（時計方向）へ回した時の説明図である。一番左側の図は、施・解錠装置Ｘが施錠状態を示す。施錠状態では、当然のことながら、押動された複数個の押しボタン６はロックピース１６の対応する各係合孔１６ａにそれぞれ第１係合部６ｂが適宜に係合している。また、ストッパー１８の先端部のフック部１８ａは被ロック板１９の係合突起１９ａに係合している。
【００４５】
施錠状態を示す左側の図と解錠状態を示す右側の図の間の中間図は、室内側２から内側操作部材８を矢印Ａ方向（時計方向）へ回した時に、解除板２１のストッパーの解除用係合部２１ａで、ストッパー１８をその付勢手段４７のバネ力に抗して押し上げた状態を示している。この時ストッパー１８は支軸２０を支点にして反時計方向へ回る。また、本実施例では、図９で示すように解除板２１の係合孔４２の係合面とサムターンバーの係合部９ａとは「間隙（遊び）」がないから、内側操作部材８を矢印Ａ方向に回転すると、直ちにストッパー１８のフック部１８ａが被ロック板１９の係合突起１９ａから離れる。
【００４６】
これにより被ロック板１９等が回転可能な状態になる。そこで、同時又は時間差を有して矢印Ａ方向に回転する駆動板１７は、指先状突起部１７ａがクリックピース１５の下端部１５ｂを回転しながら押し上げる。そうすると、クリックピース１５はバネ２５のバネ力に抗してスライド上昇し、クリックピース１５の係止爪３６が所定の押しボタン６の第２係合部６ｃから離れ、その結果、押しボタン復帰用バネ３０のバネ力によりリセットされる。
【００４７】
さらに、本実施例では、クリックピース１５が上昇すると、前述したようにバネ２６，２７のバネ力により、ロックピース１６並びにダミーピース２３がクリックピース１５と同方向（押しボタン６に対する係合解除の方向）へ移動する。駆動板１７が所定位置まで回転すると、該駆動板の回転位置に対応して他の部材も所定の位置へと移動する。
【００４８】
次に図１４は施・解錠装置Ｘの解錠状態を施錠状態にするために室内側２から内側操作部材８を矢印Ｂ方向（反時計方向）へ回した時の説明図である。内側操作部材８を矢印Ｂ方向へ操作した場合には、駆動板１７等は逆の作動態様となる。すなわち、解錠板２１はストッパー１８をその付勢手段４７のバネ力に抗して再び持ち上げなから回転する。そして、被ロック板１９の係合突起１９ａは、ストッパー１８のフック部１８ａに係止される。
【実施例】
【００４９】
本実施例の駆動板１７等の各係合孔４１，４２，４３の形状は、中心孔と、該中心孔の左右に半径外方向に対称的に形成され、かつ、操作軸９の差込み端部９ａに対する係合壁を有する連通孔であるが、これらの係合孔の形状は発明の本質的部分を変更しない範囲で適宜に設計変更可能である。ここで「発明の本質的部分」とは、内側操作部材８の操作力により、操作軸９を介して解除板２１が図８の矢印Ａ方向（時計方向）に回転すると、該解除板２１の初期の始動に遅れて少なくとも被ロック板１９が回転始動するように被ロック板１９の係合孔が形成されていることをいう。
【００５０】
本実施例では、被ロック板１９及び駆動板１７が解除板２１の初期の始動に若干時間差を有して同方向へ回転する。この若干の時間差に関しては、例えば各係合孔４１，４３の形状や遊びを変えることによって可能である。
【産業上の利用可能性】
【００５１】
本発明は、主に錠前や建具の業界で利用される。
【図面の簡単な説明】
【００５２】
図１乃至図１４は本発明の最良の実施例を示す各説明図。
【図１】実施の環境を示す扉の自由端面側から見た概略説明図。
【図２】室外側から扉の外壁面に向かって見た場合における台座、押しボタン等に概略説明図。
【図３】台座の裏側から見た概略的斜視図（ストッパー用付勢部材も示す）。
【図４】本発明の内部構造を示す概略断面説明図。
【図５】台座の裏側から見た各部材の説明図（特に被ロック板，ストッパー，クリックピース，バネ等）。
【図６】押しボタンとクリックピースとの係合関係を示す説明図。
【図７】押しボタンとクリックピースとの係脱関係を示す説明図。
【図８】主要部材（駆動板，解除板，被ロック板等）の説明図。
【図９】主要部に於いて、操作軸の係合部と駆動板等の係合孔との関係の説明図。
【図１０】主要部材（クリックピース，ロックピース，ストッパー等）の説明図。
【図１１】主要部材（クリックピース，ロックピース，ストッパー等）の分解斜視図。
【図１２】ストッパー用付勢手段の説明図。
【図１３】室内側から内側操作部材を矢印Ａ方向へ回した時の説明図。
【図１４】同じく内側操作部材を矢印Ｂ方向へ回した時の説明図。
【符号の説明】
【００５３】
Ｘ…施・解錠装置、１…扉、１ａ…内壁面、１ｂ…外壁面、２…室内側、３…室外側、５…外側の台座、６…押しボタン、６ａ…先端部、６ｂ…第１係合部、６ｃ…第２係合部、７…外側操作部材、８…内側操作部材、９，１０…操作軸、１１…施錠片、１２…補助のフロント板、１３…内側の台座、１４…連結手段、１５…クリックピース、１６…ロックピース、１７…クリックピース用駆動板、１８…ストッパー、１９…被ロック板、２１…解除板、２３…ダミーピース、２４…凹所、４７…付勢手段、２５，２６，２７…バネ、３０…押しボタン復帰用バネ、４１，４２，４３…係合孔、４１ａ，４３ａ…係合受け面、４４，４５…間隙。
【図１】
2006118270.tif 000003
【図２】
2006118270.tif 000004
【図３】
2006118270.tif 000005
【図４】
2006118270.tif 000006
【図５】
2006118270.tif 000007
【図６】
2006118270.tif 000008
【図７】
2006118270.tif 000009
【図８】
2006118270.tif 000010
【図９】
2006118270.tif 000011
【図１０】
2006118270.tif 000012
【図１１】
2006118270.tif 000013
【図１２】
2006118270.tif 000014
【図１３】
2006118270.tif 000015
【図１４】
2006118270.tif 000016